(57)【要約】【課題】  ＨＤＭＩで接続された映像システムにおいて、映像出力装置を切換えた際に、クローズドキャプション（以下ＣＣ）などの字幕表示状態を引き継いで表示することができない課題があった。【解決手段】  映像出力装置１から映像出力装置２への切換え時に、映像出力装置１からＣＣや字幕表示状態に関する情報を映像出力装置２へＣＥＣ通信を通じて伝送する事により、映像出力装置２がＣＣや字幕表示状態を引き継ぐことができる。これにより、ユーザが、映像出力装置を切換える際に、再度ＣＣや字幕表示設定をやる必要が無く、ユーザに優しい使い勝手を提供できる。【選択図】  図１
2011188159.tif 000002
【特許請求の範囲】
【請求項１】
映像出力装置と映像表示装置とからなる映像システムにおいて、
該映像表示装置が表示するコンテンツを第１の映像出力装置のコンテンツから第２の映像出力装置のコンテンツに切換える際に、前記第１の映像出力装置は表示状態に関する情報を前記第２の映像出力装置へ伝送し、前記第２の映像出力装置は伝送された表示状態に関する情報に基づいてコンテンツを再生することを特徴とする映像システム。
【請求項２】
映像出力装置のコンテンツを映像表示装置が選択して表示中に、該映像表示装置から内蔵映像源又は第２の映像出力装置のコンテンツに切換えて表示する命令を受けたら、前記映像出力装置は表示状態に関する情報を、前記内蔵映像源を有する映像表示装置又は前記第２の映像出力装置に送信する機能を有し、
前記映像出力装置のコンテンツを前記映像表示装置が表示していない時に、前記影像出力装置の映像コンテンツを前記映像表示装置で表示する命令と表示状態に関する情報を受信し、その表示状態に関する情報に基づいた映像信号を出力することを特徴とする映像出力装置。
【請求項３】
第１の映像出力装置が映像出力を行い、そのコンテンツを映像表示装置が表示する第１のステップと、
第２の映像出力装置のコンテンツを映像表示装置に表示する命令を受信する第２のステップと、
前記第１の映像出力装置が自身の表示状態に関する情報を前記第２の映像出力装置に送信する第３のステップと、
前記第１の映像出力装置が映像出力停止する第４のステップと、
前記第１の影像出力装置が映像出力の開始命令と、表示状態に関する情報を受信する第５のステップと、
前記第１の映像出力装置が受信した表示状態に関する情報に基づいた映像出力を行う第６ステップを有する連携方法。
【請求項４】
映像出力装置と映像表示装置とからなる映像システムにおいて、
該映像出力装置は映像付加データを映像信号に付加して伝送し、
該映像表示装置は受信した映像付加データから生成された表示信号を映像に合成して表示を行い、
該映像表示装置が前記第１の映像出力装置のコンテンツから前記第２の映像出力装置のコンテンツに表示を切換える際に、表示状態維持に必要な付加データを前記第２の映像出力装置へ要求し、
前記第２の映像出力装置がその付加データ要求に応じた付加データを映像信号に付加して出力し、
該映像表示装置が前記第２の映像出力装置のコンテンツに切換え後も、付加データから生成される表示信号を継続して映像信号に合成して表示する事を特徴とする映像システム。
【請求項５】
映像出力装置と映像表示装置とからなる映像システムにおいて、
第１の映像出力装置は付加データ付き映像信号を出力し、
該映像表示装置は前記付加データから生成された表示信号を映像に合成して表示を行い、
該映像表示装置が前記第１の映像出力装置のコンテンツから前記第２の映像出力装置のコンテンツに表示を切換える際に、前記第１の映像出力装置が付加している付加データに関する情報を、前記第１の映像出力装置から前記第２の映像出力装置へ伝え、
前記第２の映像出力装置が前記付加データに関する情報に応じた付加データを映像信号に付加して出力し、
該映像表示装置が前記第２の映像出力装置のコンテンツに表示を切換えた後も、付加データから生成される表示信号を継続して映像信号に合成して表示する事を特徴とする映像システム。
【発明の詳細な説明】
【技術分野】
【０００１】
技術分野は、映像信号の送受信に関する。
【背景技術】
【０００２】
特許文献１には、「コンポジットビデオ信号のＶＢＩに多重化されることを前提としたＣｌｏｓｅ  Ｃａｐｔｉｏｎなどの文字情報は、ＶＢＩのないＨＤのビデオ信号には多重化できないため、ＤＶＤプレーヤなどの再生装置から該当する文字情報を得るためには、ＳＤのビデオ信号で視聴しなくてはいけなかった」ことを課題とし、その解決手段として「ＤＶＤプレーヤなどの再生装置側から、ＨＤのビデオ信号とＶＢＩに文字情報が多重化されたＳＤのビデオ信号の両方を、ＴＶなどの映像表示装置に接続する。映像表示装置は、ＳＤのビデオ信号に多重化された文字情報を分離し、ＨＤのビデオ信号に同期させて映像を合成した上で、字幕のある映像として画面に表示する」ことが開示されている。
【０００３】
また、特許文献２には、「ＨＤＭＩのクリアな映像を楽しみつつ、コンポジット信号の垂直帰線区間情報を利用することの可能なテレビ受像機、映像表示装置を提供する」ことを課題とし、その解決手段として「ＨＤＭＩ端子１０ａとコンポジット端子１０ｂとを備え、デジタルデコーダ１０ｃがＨＤＭＩ端子１０ａから入力される映像信号をスケーラ１０ｅを介して後段に出力し、マイコン１０ｉの制御に従ってアナログデコーダ１０ｄがコンポジット信号からクローズドキャプションを抽出してマイコン１０ｉに出力し、マイコン１０ｉの制御に従ってＯＳＤ重畳部１０ｆがクローズドキャプションを映像信号にＯＳＤ表示させる」ことが開示されている。
【０００４】
また、特許文献３には、「機器間をＨＤＭＩケーブルで接続することにより、ＤＶＤ再生時の言語設定を不要にし、煩わしい操作を行うことなくＤＶＤを視聴することができる録画再生システムを提供する」ことを課題とし、その解決手段として「この録画再生システムは、再生機能を有する複数の機器と、前記機器からの映像や音声を再生する表示装置とを、ＨＤＭＩ規格に準拠したＨＤＭＩケーブルを介して接続した録画再生システムであって、前記機器は、初期設定（音声言語設定、字幕言語設定、および、メニュー言語設定の少なくとも一つ）で設定した言語情報を前記表示装置に送信し、再生するときには、前記表示装置に記憶された言語情報を取得して言語設定を行い、前記表示装置は、前記機器から送られてきた言語情報を記憶し、前記機器から再生要求があったときには、記憶している言語情報を該機器へ送信するようにした」ことが開示されている。
【先行技術文献】
【特許文献】
【０００５】
【特許文献１】特開２００７−１１０３１０号公報
【特許文献２】特開２００８−５４０５号公報
【特許文献３】特開２００８−４８３３７号公報
【発明の概要】
【発明が解決しようとする課題】
【０００６】
表示装置でコンテンツを視聴することに関して、例えばユーザが表示装置に内蔵されたチューナで受信した放送番組をクローズドキャプション（以下、ＣＣとする）の字幕付きで視聴している最中に、放送番組の表示からＤＶＤプレーヤが再生するコンテンツの表示に切換える場合に、ＤＶＤプレーヤが再生するコンテンツの表示についてもＣＣ表示が引き継がれるのが望ましい。ＤＶＤプレーヤが再生するコンテンツの表示から放送番組の表示に切換える場合や他のＨＤＤレコーダに切換える場合も同様である。
【０００７】
しかし、特許文献１では、ディジタル映像・音声インタフェースの１つであるＨＤＭＩ（HDMI Licensing, LLCの登録商標）はＣＣデータを伝送していないので、ＤＶＤプレーヤ側でＣＣデータを再生して映像信号にＯＳＤ重畳することが開示されているものの、表示するコンテンツの切替えに際してＤＶＤプレーヤがＣＣの表示を継続させる方法が開示されていなかった。
【０００８】
また、特許文献２では、並列に設けたアナログ映像インタフェースからＣＣデータを取得した表示装置がＣＣデータを再生して映像信号にＯＳＤ重畳して表示する技術が開示されているものの、これを実現するためにはＨＤＭＩの他にアナログ映像インタフェースを必要とした。
【０００９】
また、特許文献３では、ＤＶＤプレーヤと表示装置とをＨＤＭＩで接続し、ＨＤＭＩで定義されたＣＥＣ（Consumer Electronics Control）メッセージにより、表示装置に記憶された言語情報をＤＶＤプレーヤが取得して音声言語や字幕言語、メニュー言語等の言語設定を行う技術が開示されているものの、ＤＶＤプレーヤ等の言語情報を記憶する領域を表示装置が持つ必要があり、さらに、同一言語での表示以外に、ＣＣ表示状態を継続させることには言及されていなかった。
【課題を解決するための手段】
【００１０】
上記の課題を解決するために、本発明の一実施の態様は、映像表示装置が表示するコンテンツを第１の映像出力装置のコンテンツから第２の映像出力装置のコンテンツに切換える際に、第１の映像出力装置は表示状態に関する情報を第２の映像出力装置へ伝送し、第２の映像出力装置は伝送された表示状態に関する情報に基づいてコンテンツを再生するように構成する。
【発明の効果】
【００１１】
上記手段によれば、ＣＣの表示に関してユーザにとって使い勝手の良い装置を提供することができる。
【図面の簡単な説明】
【００１２】
【図１】本実施例の映像システムの一例を示すブロック図である。
【図２】本実施例の映像システムにおける処理の一例を示すフローチャートである。
【図３】本実施例の映像システムにおける処理の一例を示すフローチャートである。
【図４】本実施例の映像システムの一例を示すブロック図である。
【図５】本実施例の映像システムにおける処理の一例を示すフローチャートである。
【図６】本実施例の映像システムにおける処理の一例を示すフローチャートである。
【図７】本実施例の映像システムにおける処理の一例を示すフローチャートである。
【図８】本実施例の映像システムの一例を示すブロック図である。
【発明を実施するための形態】
【００１３】
以下、実施例について説明する。
【実施例１】
【００１４】
図１は、第１の実施例を示すブロック図であって、映像出力装置１１及び１２が、映像表示装置２１とＨＤＭＩケーブル３１及び３２を介して接続されている。映像出力装置１１と１２はそれぞれ、映像源１１１と１１２、ＯＳＤ生成部１１２と１２２、映像合成部１１３と１２３、記憶部１１４と１２４、制御部１１５と１２５、ＣＥＣ通信部１１６と１２６を有する。映像源１１１と１１２は、例えば放送用チューナ、ＤＶＤドライブ、Ｂｌｕ−ｒａｙドライブ、ＨＤＤ、半導体メモリ、情報処理部などを備えた、映像信号を発生するブロックである。
【００１５】
映像表示装置２１は、リモコン２２１からの信号を受信する受光部２２３、チューナ部２１１、ＯＳＤ生成部２１２、映像合成部２１３、記憶部２１４、制御部２１５、ＣＥＣ通信部２１６、映像受信部２１７と２２０、切換えスイッチ２１８、表示部２１９を有する。ＨＤＭＩケーブル３１と３２はそれぞれＣＥＣ線３１１と３２１、ＴＭＤＳ（Transition Minimized Differential Signaling）線３１２と３２２を有する。
【００１６】
まず、図２に示すフローチャートを用いて説明する。図２の処理例は、映像表示装置２１が内蔵チューナ２１１の映像をＣＣと合わせて表示中に、映像出力装置１１へ切換えると同時に、ＣＣ表示を自動的に継続させる例を示したものである。
【００１７】
最初は、映像出力装置１１と映像表示装置２１が共にスタンバイ状態８１１と８２１である。ステップ８２２で、ユーザがリモコン２２１を操作すると、リモコンから赤外線又は電波が受光部２２３へ照射され、その信号を受光部２２３から制御部２１５へ伝えられ、映像表示装置の各種の機能が制御される。ここでは、映像出力装置１１の電源を入れ、内蔵チューナ２１１の映像出力をスイッチ２１８が選択することにより映像表示させる。続くステップ８２３で、ユーザがリモコン２２１を操作してＣＣ表示を設定すると、チューナから出力されるクローズドキャプション又は字幕データをＯＳＤ生成部２１２でＣＣ表示信号を生成後、映像合成部２１３がチューナ２１１の映像出力と映像合成し、表示部２１９に表示させる。
【００１８】
ステップ８２４で、ユーザがリモコン２２１を操作して、映像出力装置１１が選択されると、制御部２１５が現在のＣＣ表示状態を記憶部２１４から読み出してＣＥＣ通信部２１６へ伝え、映像出力装置１１へ映像出力させる命令と共に、ＣＥＣライン３１１、映像出力装置内のＣＥＣ通信部１１６を経由して制御部１１５へ伝えられる。これを受けて、映像表示装置１１は、ステップ８１２でスタンバイ状態から電源ＯＮ状態へ移行し、映像出力を開始する。
【００１９】
続いて、ステップ８１３で、ＣＥＣ通信部１１６を経由して受信したＣＣ表示状態に関する情報に基づき、映像源１１１からのＣＣデータをＯＳＤ生成部１１２でＣＣ表示信号を生成し、映像源１１１が出力する映像信号と映像合成部１１３で合成された後、映像送信部１１７から映像表示装置２１へＴＭＤＳライン３１２を通じて伝送する。
【００２０】
ステップ８２５では、映像表示装置がＣＣ表示を合成した映像信号を映像受信部２１７が受信し、スイッチ２１８を経由して表示部２１９へ送ることにより、映像出力装置１１へ切換え後も、それまでの映像表示装置内で生成していたＣＣ表示と同様のＣＣ表示を行うことができる。
【００２１】
尚、ステップ８２２と８２３では、ユーザがリモコン操作でチューナ選択とＣＣ表示をさせる例を説明したが、リモコン操作以外であっても良い。例えば、映像表示装置２１がスタンバイになる直前の状態を映像表示装置内の記憶部２１４に記憶させておき、それを読み出してスタンバイの直前状態を再現するもの（以下、ラストメモリ動作と記述）であっても良い。
【００２２】
次に、映像出力装置１１から１２へ切換える場合を例にとり、図３のフローチャートを用いてその動作を説明する。
【００２３】
初期状態８３１、８４１、８５１では、映像出力装置１１及び１２、映像表示装置２１はスタンバイ状態である。ステップ８４２で、ユーザが映像出力装置１１の電源をＯＮして映像再生ボタンを押すと、ステップ８４３で映像出力装置１１は映像表示装置２１へ電源ＯＮと映像出力装置を選ぶ入力切換え命令をＣＥＣ通信部１１６から映像表示装置２１へ送る。
【００２４】
その命令をＣＥＣ通信部２１６で受けた映像表示装置２１は、ステップ８５２で、自身の電源をＯＮにし、スイッチ２１８が映像受信部２１７を選択して、映像出力装置１１の映像出力を表示部２１９に表示する。これがいわゆるワンタッチプレイと呼ばれるＣＥＣの基本動作の一つである。
【００２５】
ステップ８４４で、映像出力装置１１は、スタンバイ状態移行前のＣＣ表示状態を記憶部１１４から読み出し（ラストメモリ動作）、それに基づいてＯＳＤ生成部１１２がＣＣ表示信号を生成し、映像合成部１１３で合成後、映像送信部１１７から映像信号が出力される。ステップ８５３で、映像表示装置２１はこの映像信号を映像受信部２１７で受信後、スイッチ２１８を経由して表示部２１９に表示される。
【００２６】
ステップ８５４で、ユーザのリモコン操作により、入力切換えを決定し、映像出力装置１２を選択する事をＣＥＣ通信部２１６からで映像出力装置１１と１２へ伝える。このＣＥＣメッセージをＣＥＣ通信部１２６で受信した映像出力装置１２は、ステップ８３２で自身の電源をＯＮにし、映像信号を出力する準備を始める。
【００２７】
ステップ８４５で、同じメッセージを受けたＣＥＣ通信部１１６で受信した出力装置１１は、自身の現ＣＣ表示状態を記述したＣＥＣメッセージを、ＣＥＣ通信部１１７を通じて、映像表示装置１２へ送信する。ステップ８３３で、映像出力装置１２は、ＣＥＣ通信部１２６で受信したＣＥＣメッセージに含まれるＣＣ表示状態に関する情報に基づき、ＯＳＤ生成回路１２でＣＣ表示信号ＣＣ表示信号を生成後、映像源１２１の映像出力とＣＣ表示信号ＣＣ表示信号が映像合成部１２３で合成され、映像送信部１２７を通じて、映像表示装置２１へ出力される。
【００２８】
ステップ８５５で、映像表示装置２１は、スイッチ２１８を映像出力装置１１から１２へ切換え、映像出力装置１２から出力されたＣＣ表示付きの映像信号を表示部２１９で表示する。このように、ユーザのＣＣ表示再設定を必要としないで、映像出力装置１２に切換える前に映像出力装置１１が表示していたＣＣ表示とほぼ同じ表示状態を継続することができる。
【００２９】
本実施例では、映像表示装置が映像表示中に入力切換えを行う場合は、ＣＣ表示状態を継続し、映像表示装置がスタンバイ時に映像出力装置が映像表示装置の電源を入れるワンタッチプレイでは、ＣＣ表示状態を他から継続せず、ラストメモリ動作させている。前者は同じユーザが継続して視聴することを想定してＣＣ表示を継続させ、後者は別のユーザが視聴することを想定しているためである。カメラや人感センサ等を用いたユーザ認識手段を併用して、同じユーザならＣＣ表示を継続させ、異なるユーザならＣＣ表示は各映像出力装置のラストメモリ動作を行うようにしても良い。
【００３０】
尚、以上の説明では、ＣＣ表示を例にとって説明したが、字幕表示などの番組付加情報の表示でも、同様に表示状態を継続できる利点がある。表示状態に関する情報とは、ＣＣや字幕表示のＯＮ／ＯＦＦ、言語、地域情報、配色、フォント、表示位置、大きさ、テロップ速度、スーパーインポーズ方法（背景選択；透過／半透過／ぬりつぶしなど）などがある。特にＯＮ／ＯＦＦは視聴者が変わる度などにＯＮ／ＯＦＦが繰り返されるので上記の同じ視聴者が継続する場合にＣＣや字幕情報を継続表示できる利点は大きい。ＯＮ／ＯＦＦに比べると継続の必要性が低いパラメータは、ラストメモリ動作で代用させても良い。これらは、以下に述べる他の実施例でも有効である。
【実施例２】
【００３１】
図４は、第２の実施例を示すブロック図であって、映像出力装置１３及び１４が、映像表示装置２２とＨＤＭＩケーブル３１及び３２を介して接続されている。図１のブロック図と同じ機能を持つブロックは同じ番号を付与している。図１と異なる点は、映像送信部１３７と１４７が映像源１１１と１２１が出力するＣＣデータを映像信号に付加して伝送する映像送信部１３７と１４７を持ち、映像受信部２２７と２３０はＣＣデータを付加された信号映像信号とＣＣデータに分離し、内蔵チューナ２１１と映像受信部２２７、２３０から出力されるＣＣデータを切換えＳＷ２２８で切換えてＯＳＤ生成部に入力される点である。
【００３２】
ＨＤＭＩは、帰線期間を使って映像信号に任意のデータを付加して送ることができる。また、ＨＤＭＩにオプションで付加可能なＨＥＣ（HDMI Ethernet Channel）によるデータ伝送機能を用いても良い。これらの機能を用いてＣＣデータを伝送する事により、従来のアナログインタフェースで行われていたように、ＣＣデータを映像表示装置２２内のＯＳＤ生成部２１２で形成し、映像合成部２１３で映像信号と合成する事により、映像出力装置を切換えた場合もＣＣ表示が継続できることは自明である。
【００３３】
しかしながら、言語が異なるなどＣＣデータが複数ある場合は、あらかじめその言語を選んで映像送信部で付加する必要がある。特に映像源がＤＶＤやＢｌｕ−ｒａｙなどの場合、複数の字幕が用意されることが多い。本発明ではＣＣも字幕も同様に扱えるので、以下の説明でもＣＣを例にとって説明する。
【００３４】
映像入力を切換える際に、ＣＣ表示を継続させるためには、事前にＣＣ表示状態に関する情報を、映像表示装置が新たに選択する映像出力装置にＣＥＣ通信を使って伝送することで、所望のＣＣデータを継続的に表示装置が受信し、同様なＣＣ表示を継続することができる。
【００３５】
以下、図５のフローチャートを用いてその動作を説明する。
【００３６】
最初は映像出力装置１３と映像表示装置２２は共にスタンバイ状態８６１と８７１にある。ステップ８７２と８７３は図２のステップ８２２と８２３と同じ動作である。ステップ８７４で、ユーザが映像出力装置１３を選択すると、表示装置２２のＣＥＣ通信部２１６から映像出力装置のＣＥＣ通信部１１６へ、現在のＣＣ表示状態を維持する為に必要な言語などの情報を伝えると共に、ＣＣデータを付加した映像信号の伝送開始を要求する。
【００３７】
この要求を受けた映像出力装置８６２は、ステップ８６２で、電源をＯＮして、表示装置２２が要求するＣＣデータを映像源１１１から映像送信部１３７へ供給し、映像送信部１３７が映像信号にＣＣデータを付加して、ＴＭＤＳライン３１２を経由して映像表示装置２２へ伝送する。
【００３８】
ステップ８７５で、映像受信部２２７で映像信号とＣＣデータに分離し、ＣＣデータはスイッチ２２８を通して、ＯＳＤ生成部２１２でＣＣ表示信号を生成後、映像合成部２１３で映像信号と合成後、表示部２１９で表示される。尚、スイッチ２２８は映像信号を切換えるスイッチ２１８と連動して、ＣＣデータを切換えるものである。
【００３９】
以上で述べてきたように、映像出力装置１３が映像信号に付加するＣＣデータは、表示切換前に映像表示装置２２内で使っていたＣＣデータと同種類のデータであるので、ＣＣ表示が継続できる。
【００４０】
尚、ステップ８６２で、映像表示装置１３が図１の映像表示装置１１のように、ＣＣデータを付加して伝送する機能が無い場合は、映像表示装置２２は、ステップ８７５に進まないで、図２のステップ８２４の動作を試みると良い。すると、図２のステップ８１３に示すように、映像出力装置１１でＣＣ表示を映像信号に合成した信号が映像表示装置２２に入力されるので、ＣＣ表示が継続できる。
【００４１】
図４の映像出力装置１３や１４は、ＣＣデータを映像信号に付加する機能以外に、自身でＣＣデータからＣＣ表示信号を形成して映像信号に合成できる機能を持っていれば、図１に示す映像出力装置１１と接続された場合は、図２のフローチャートに従って動作できる。このように、ＣＣデータ付加有無両方に対応した映像出力装置や映像表示装置にしておくと、相互接続性を向上できる利点がある。
【００４２】
次に、図６のフローチャートを用いて、映像出力装置１３から映像出力装置１４への切換時において、ＣＣ表示を継続する例を説明する。
【００４３】
最初は、映像出力装置１３と１４、映像表示装置２２はスタンバイ状態８９１、８８１、９０１にある。ステップ８９２と８９３、９０２は図３と同様である。
【００４４】
ステップ９０３において、映像表示装置２２はラストメモリ動作によりＣＣ表示状態を復帰させ、ＣＣ表示継続に必要なＣＣデータに関する言語などの情報の提供と、ＣＣデータを付加した映像信号の出力要求を、ＣＥＣ通信部２１６から映像出力装置１３へ送る。
【００４５】
この要求に応じて、映像出力装置１３は、ステップ８９４で、映像源１１１から必要なＣＣデータを抽出して映像送信部１３７へ送り、映像送信部１３７がＣＣデータを映像信号に付加してＴＭＤＳライン３１２へ出力する。
【００４６】
ステップ９０４で、映像受信部２２７は映像信号とＣＣデータに分離後、ＣＣデータはスイッチ２２８を通してＯＳＤ生成部２１２でＣＣ表示信号ＣＣ表示信号を生成し、映像合成期２１８で映像信号と合成後、表示部２１９で映像と共にＣＣ表示される。
【００４７】
ステップ９０５で、ユーザが映像出力装置１４を選択すると、映像出力装置１３へスタンバイ命令を、映像出力装置１４へＣＣ表示継続に必要なＣＣデータに関する情報の提供と、ＣＣデータを付加した映像出力開始要求を、ＣＥＣ通信部２２７から送信する。
【００４８】
それを受けて、映像出力装置１３はステップ８９５でスタンバイに移行する。一方、映像出力装置１４はステップ８８２で、電源をＯＮし、映像表示装置２２が要求するＣＣデータを映像源１２１から抽出して、映像増進部１４７へ送り、映像送信部１４７がＣＣデータを映像信号に付加してＴＭＤＳライン３２２へ出力する。
【００４９】
ステップ９０６で、映像受信部２３０は映像信号とＣＣデータに分離後、ＣＣデータはスイッチ２２８を通してＯＳＤ生成部２１２でＣＣ表示信号を生成し、映像合成期２１８で映像信号と合成後、表示部２１９で映像と共にＣＣ表示される。このようにして、映像表示装置１３から映像表示装置１４へ切換えた場合も、ＣＣ表示状態が継続できる特徴がある。
【００５０】
以上、映像表示装置２２が映像出力装置１３から１４への切換を支持する場合を例にとって説明したが、映像出力装置１３が映像信号を出力中に、映像出力装置１４の再生ボタンが操作された場合も、同様に映像表示装置が必要なＣＣデータに関する情報提供をすることによって、同様な動作ができる。また、先に述べたように、映像出力装置１４の再生ボタンが操作されて切り換るワンタッチプレイ動作の場合は、映像出力装置のラストメモリを用いる動作としても良い。
【００５１】
次に、図７のフローチャートを用いて、映像出力装置１３から映像出力装置１４への切換時において、ＣＣ表示を継続する例を説明する。図６のフローチャートと、ステップ８８１、８９１、８９２、８９３、９０１、９０２は同じ動作なので、説明は省略する。
【００５２】
ステップ８９６で、映像出力装置１３は付加するＣＣデータを自身の記憶部１１４の情報（ラストメモリ）に基づいて設定し、映像源１１１からのＣＣデータを映像送信部１３７で映像信号に付加してＴＭＤＳライン３１２へ出力する。尚、このラストメモリ動作は、映像出力装置１３自身の操作ボタンが操作された場合や、ＣＣデータ設定に必要な情報が得られなかった場合に限定させても良い。
【００５３】
一方、映像表示装置２２は、ステップ９０７で、ＴＭＤＳライン３１２からの入力を映像受信部２２７が映像信号とＣＣデータに分離し、ＣＣ映像出力装置１３から送られて来たＣＣデータはスイッチ２２８を通してＯＳＤ生成部２１２に伝えられ、ＣＣ表示信号を生成後、映像合成部２１３が映像信号に合成して、表示部２１９がＣＣ付き映像を表示する。
【００５４】
ステップ９０８で、ユーザが映像出力装置１３から１４へ切換を指示すると、映像表示装置２２のＣＥＣ通信部２１６が切換命令を。映像出力装置１３と１４のＣＥＣ通信部１１６と１２６へ伝える。それを受信した映像出力装置１３は、ステップ８９７で送信中のＣＣデータに関する情報をＣＥＣ通信部１１６から映像出力装置１４のＣＥＣ通信部１２６へ伝送する。その後、ステップ８９８で影像出力装置１３は映像出力を停止し、スタンバイ状態へ移行する。尚、送信データのＣＣデータに関する情報とは、ＣＣデータ付加の有無や、言語、地域などを示す情報などである。
【００５５】
一方、映像出力装置１４は、映像表示装置２２からの切換命令と映像出力装置からのＣＣデータに関する情報をＣＥＣ通信部１２６で受信し、ステップ８８３で、そのＣＣデータに関する情報に対応したＣＣデータを映像源１２１から抽出し、映像送信部１４７が映像信号に付加してＴＭＤＳライン３２２へ出力する。
【００５６】
映像表示装置２２は、ステップ９０９で、映像再生装置２２のスイッチ２１８と２２８は映像受信部２３０側に切換ると共に、ＴＭＤＳライン３２２からの入力を映像受信部２３０が映像信号とＣＣデータに分離し、ＣＣ映像出力装置１４から送られて来たＣＣデータはスイッチ２２８を通してＯＳＤ生成部２１２に伝えられ、ＣＣ表示信号を生成後、映像合成部２１３が映像信号に合成して、表示部２１９がＣＣ付き映像を表示する。
【００５７】
このようにして、映像表示装置１３から１４への切換時に、ＣＣデータ出力情報を映像表示装置１３から１４へ伝達する事により、映像表示装置２２での継続的なＣＣ表示を実現している。
【実施例３】
【００５８】
図８は、第３の実施例を示すブロック図であって、映像出力装置１５及び１６が、映像表示装置２３とＨＤＭＩケーブル３３及び３４を介して接続されている。図４のブロック図と同じ機能を持つブロックは同じ番号を付与している。図４と異なる点は、ＣＣデータを映像信号に付加するのではなく、ＨＤＭＩのオプションであるＨＥＣで伝送することにある。このため、ＨＥＣ通信部１１８と２３１，２３２、ＨＥＣライン３１３、３２３が追加されている。切換手順は、第２の実施例と同様な為、説明を省略する。
【００５９】
尚、ＨＥＣは双方向伝送機能を持つので、第１の実施例や第２の実施例においてＣＥＣの代わりに命令や情報を伝送する事ができる。しかし、ＣＥＣはその物理アドレスによって各装置のツリー状ＨＤＭＩ接続状態が認識できるが、ＨＥＣはイーサネット(登録商標)のＬＡＮ技術を使うものなので、ツリー状ＨＤＭＩ接続状態との対応が困難である。この対応をとるためには、ＣＥＣでイーサネットのＩＰアドレス情報を取得するか、ＨＥＣでＣＥＣの物理アドレスを取得すればそれらの対応をとることができる。このやり方によって、ＨＥＣを用いてＣＥＣ同様の映像機器制御が実現できる。ＣＥＣより高速なＨＥＣで情報交換や命令伝送を行う事により、映像切換などの高速化を図る事ができる。
【００６０】
このＣＥＣの物理アドレスとイーサネットのＩＰアドレスの対応は、第３の実施例で述べた、ＨＥＣによるＣＣデータ伝送にも活用できる。
【００６１】
このように、上記各実施例によれば、映像出力装置を切換えてもＣＣや字幕表示状態を引き継ぐ事ができ、ＨＤＭＩの他のアナログ映像インタフェースも不要である。さらに、映像表示装置内の言語情報を記憶する領域が不要な為、特殊な映像表示装置を用意する必要が無い。
【符号の説明】
【００６２】
１１，１２，１３，１４，１５，１６  映像出力装置、１１１，１２１  映像源、１１２，１２２，２１２  ＯＳＤ生成部、１１３，１２３，２１３  映像合成部、１１４，１２４，２１４  記憶部、１１５，１２５，２１５  制御部、１１６，１２６，２１６  ＣＥＣ通信部、１１７，１２７，１３７，１４７  映像送信部、１１８，２３１，２３２  ＨＥＣ通信部、２１，２２，２３  映像表示装置、２１１  チューナ部、２１７，２２０，２２７，２３０  映像受信部、２１９  ２１８，２２８  スイッチ、２１９  表示部、２２１  リモコン、２２３  リモコン受光部、３１，３２，３３，３４  ＨＤＭＩケーブル、３１１，３１２  ＣＥＣライン、３１２，３２２  ＴＭＤＳライン、３１３，３２３  ＨＥＣライン
【図１】
2011188159.tif 000003
【図２】
2011188159.tif 000004
【図３】
2011188159.tif 000005
【図４】
2011188159.tif 000006
【図５】
2011188159.tif 000007
【図６】
2011188159.tif 000008
【図７】
2011188159.tif 000009
【図８】
2011188159.tif 000010